(57)【要約】【課題】ケース内空間にペットをストレスなく収容することができ、しかも、ペットの個性が発揮されるよう展示することにより、自分にあった性格のペットを見つけることができ、客の購買意欲を高めることができる遊戯装置付きペット展示用ケースの提供を目的とする。【解決手段】  ペットをケース内空間１２Ａに収容して展示する展示ケース１２を備え、上記展示ケース１２の下側に、地面に設置する設置部を備え、上記展示ケース１２の側面を、外側から上記ケース内空間１２Ａを視認可能な透明パネルで形成し、上記ケース内空間１２Ａに、ぺット遊戯装置としてペットが昇降可能なタワー型のペット遊戯用タワー３１を構成し、上記ペット遊戯用タワー３１を、上記ケース内空間１２Ａに起立状態で配した支柱３２と、該支柱３２に対して着脱自在に取り付けられ、ペットを支持する支持棚３３とで構成した。【選択図】図１
2011024742.tif 000002
【特許請求の範囲】
【請求項１】
ペットを内部のケース内空間に収容して展示する展示ケースを備え、
上記展示ケースの下側に、地面に設置する設置部を備え、
上記展示ケースの側面の少なくとも一面を、外側から上記ケース内空間を視認可能な透明パネルで形成し、
上記ケース内空間に、ペットが遊戯する遊戯装置としてペットが昇降して遊戯するタワー型のペット遊戯用タワーを構成し、
上記ペット遊戯用タワーを、上記ケース内空間に起立状態で配した支柱と、該支柱に対して着脱自在に取り付けられ、ペットを支持する支持棚とで構成した
遊戯装置付きペット展示用ケース。
【請求項２】
上記展示ケースの側面全体を、上記透明パネルで形成した
請求項１に記載の遊戯装置付きペット展示用ケース。
【請求項３】
上記設置部に、移動手段を備えた
請求項１、又は、２に記載の遊戯装置付きペット展示用ケース。
【請求項４】
上記支柱を、上記展示ケースの上面と床面との間に架設した
請求項１から３のいずれかに記載の遊戯装置付きペット展示用ケース。
【請求項５】
上記支持棚を、支持棚本体部と、該支持棚本体部を上記支柱に取り付ける支持棚取付け部とで構成し、
上記支持棚取付け部の上記支柱に対する取り付けを許容する支持棚被取付け部を、上記支柱に構成した
請求項１から４のいずれかに記載の遊戯装置付きペット展示用ケース。
【請求項６】
上記支持棚取付け部に、上記支柱に係合する係合部を備え、
上記支持棚被取付け部に、上記係合部と係合可能な被係合部を備え、
上記支持棚被取付け部を、上記支柱の長手方向に配設した複数の上記被係合部で構成した
請求項１から５のいずれかに記載の遊戯装置付きペット展示用ケース。
【請求項７】
上記展示ケースの側面に、開口部を形成するとともに、該開口部を開閉する扉を備え、
上記支持棚被取付け部を、上記支柱の周方向における、上記開口部と対向する側と反対側部分を除く部分に形成した
請求項１から６のいずれかに記載の遊戯装置付きペット展示用ケース。
【請求項８】
上記支柱の外周面に沿って押し当て可能な押当部を、上記支持棚の基端部に構成した
請求項１から７のいずれかに記載の遊戯装置付きペット展示用ケース。
【請求項９】
上記ペット遊戯用タワーを、上記ケース内空間の平面視隅角部分に備えた
請求項１から８のいずれかに記載の遊戯装置付きペット展示用ケース。
【発明の詳細な説明】
【技術分野】
【０００１】
この発明は、猫などのペット（愛玩動物）を販売等の目的で展示するためのペット展示用ケースに関し、詳しくは、客がペットを購入時にペットの性格などを判断でき、特に猫などの昇降動作することが得意なペットにとってストレスが溜まらないよう展示することができる遊戯装置付きペット展示用ケースに関する。
【背景技術】
【０００２】
ペットを販売等の目的で展示するためのペット展示用ケースは、従来より様々なものが存在し、例えば、特許文献１に開示の「動物用飼育装置」もその一つである。
【０００３】
上記特許文献１に開示の「動物用飼育装置」は、床部と、該床部を取り囲む本体とで全体をペットを収容可能な箱型形状で構成している。
【０００４】
しかし、動物用飼育装置に収容されたペットは、狭い空間に格納された状態が続くため、ペットは退屈し、寝ている状態が多くなる。  
この場合、ペットにとってストレスがかかり、健康上好ましくない。
【０００５】
また、ペットを購入しようと訪れた客は、寝ている状態のペットをみるだけでは、ペットごとの固有の性格が把握し難く、ペットの購買意欲が減衰するおそれもある。
【０００６】
最近では、平面的に広い展示空間を確保し、その展示空間にペットを開放した状態に展示するペット展示販売ブースも存在するが、このような構成のペット展示販売ブースは、場所をとり、特に、本能的に木に登ったりするという昇降動作が好きな猫などのペットにとっては、必ずしも適した環境でないといわざるを得ない。
【先行技術文献】
【特許文献】
【０００７】
【特許文献１】実用新案登録第３１３４０９７号公報
【発明の概要】
【発明が解決しようとする課題】
【０００８】
そこで本発明は、ペットにストレスを溜めることなく、ケース内空間にペットを収容することができ、しかも、ペットの個性が発揮されるよう展示することにより、自分にあった性格のペットを容易に見つけることができ、客の購買意欲を高めることができる遊戯装置付きペット展示用ケースの提供を目的とする。
【課題を解決するための手段】
【０００９】
本発明は、ペットを内部のケース内空間に収容して展示する展示ケースを備え、上記展示ケースの下側に、地面に設置する設置部を備え、上記展示ケースの側面の少なくとも一面を、外側から上記ケース内空間を視認可能な透明パネルで形成し、上記ケース内空間に、ペットが遊戯する遊戯装置としてペットが昇降して遊戯するタワー型のペット遊戯用タワーを構成し、上記ペット遊戯用タワーを、上記ケース内空間に起立状態で配した支柱と、該支柱に対して着脱自在に取り付けられ、ペットを支持する支持棚とで構成した遊戯装置付きペット展示用ケースであることを特徴とする。
【００１０】
上記構成により、ケース内空間のペットは、ペット遊戯用タワーに備えた支持棚を昇り降りすることで、活発に遊戯することができる。また、支柱の高い位置に取り付けた支持棚に載れば、本能的にリラックスすることができる高い所で休息することができる。
【００１１】
いずれの場合も展示ケースに収容された状態であっても、ペットにストレスが溜まることなく、猫などのペットにとって健康で快適な状態を保つことができる。
【００１２】
さらにまた、ペットを購入の際に、客は、ペット遊戯用タワーで活発に遊戯し、リラックスしたペットの様子を視認することを通じて、購買意欲が刺激され、それぞれのペットの性格を把握し易くなり、自分にあった性格のペットを正確に捜し出すことができる。
【００１３】
ペット遊戯用タワーは、ペットが昇降動作が可能であるため、ペットをケース内空間に収容した状態であってもペットの運動量を確保することができ、運動不測に陥るおそれがなく健康な状態を保つことができる。
【００１４】
遊戯装置付きペット展示用ケースの設置部は、据付けタイプではなく、地面に設置する構成であるため、それ自体を持ち運ぶなどして容易に移動することができる。よって、据付工事などの大掛かりな工事を要することなく、一時的なペット展示ブースの構築にも対応することができ、また、レイアウト変更なども容易に行うことができる。
【００１５】
上記ペットは、例えば、猫、猿、リスなどの昇降動作を得意とする動物を挙げることができるが、この種類の動物に限定しない。
【００１６】
また、上記支持棚は、ペットが載上するペット載上面が板状の棚に限らず、ハンモック型の棚であってもよく、ネット状のペット載上面であってよい。さらには、支持棚の下側からでもペットを視認できるよう透明なペット載上面で形成してもよい。
【００１７】
この発明の態様として、上記展示ケースの側面全体を、上記透明パネルで形成することができる。
【００１８】
上記構成によれば、上記透明パネルで形成した展示ケースを通じて、上記展示ケースの周方向のいずれの方向からでもケース内空間を視認することができる。このため、遊戯装置付きペット展示用ケースは、壁際に設置するに限らず、フロアーの中央部分に設置する展示形態も可能となり、このような展示形態で設置した場合、ペットの様子を周方向のいずれも方向からでも伺うことができ、優れた展示効果を発揮することができる。
【００１９】
またこの発明の態様として、上記設置部に、移動手段を備えることができる。
【００２０】
上記構成により、移動手段により遊戯装置付きペット展示用ケース自体を移動することができるため、持ち上げるなどしなくても容易に移動することができる。
【００２１】
上記移動手段とは、キャスタ（車輪）など遊戯装置付きペット展示用ケース自体を移動できる部材であれば、特に限定しない。
【００２２】
またこの発明の態様として、上記支柱を、上記展示ケースの上面と床面との間に架設することができる。
【００２３】
上記構成により、上記支柱を上記展示ケースの上面と床面との間でしっかりと固定することができる。よって、ペットが昇降動作したり、支持棚の上に載った場合でも、がたつかず、ペットにとって快適であり、安全性を確保することができる。
【００２４】
さらに、運搬の際に遊戯装置付きペット展示用ケース自体を傾けるなどしても支柱が撓んだりすることがないため、ケース内空間にペットを収容した状態のままでも、移動させることができる。
【００２５】
またこの発明の態様として、上記支持棚を、支持棚本体部と、該支持棚本体部を上記支柱に取り付ける支持棚取付け部とで構成し、上記支持棚取付け部の上記支柱に対する取り付けを許容する支持棚被取付け部を、上記支柱に構成することができる。
【００２６】
上記構成により、支持棚取付け部を支持棚被取付け部に取り付けることにより、支持棚を支柱に対して所望の高さで取り付けることができる。
【００２７】
よって、支持棚を、ペットの成長、種類などに応じて任意の高さ、取り付け枚数に変更することで、ペットが飽きることがなく、快適に使用することができる。
【００２８】
さらに、ペットが活発に遊戯する様子を客に視認させることが可能となり、客の購買意欲を引き出すことができる。
【００２９】
またこの発明の態様として、上記支持棚取付け部に、上記支柱に係合する係合部を備え、上記支持棚被取付け部に、上記係合部と係合可能な被係合部を備え、上記支持棚被取付け部を、上記支柱の長手方向に配設した複数の上記被係合部で構成することができる。
【００３０】
上記支持棚取付け部に備えた上記係合部を、上記支持棚被取付け部に備えた上記被係合部に係合することにより、支柱に対して支持棚をしっかりと取り付けることができるとともに、係合部と被係合部とを係脱するだけで支柱に対して支持棚を容易に着脱することができる。
【００３１】
さらに、上記支持棚被取付け部に配設した複数の上記被係合部のうち、いずれかの被係合部に選択的に係合することにより、支持棚を、支柱に対して任意の高さで取り付けることができる。
【００３２】
またこの発明の態様として、上記展示ケースの側面に、開口部を形成するとともに、該開口部を開閉する扉を備え、上記支持棚被取付け部を、上記支柱の周方向における、上記開口部と対向する側と反対側部分を除く部分に形成することができる。
【００３３】
通常、支持棚は、上述したように上記展示ケースの側面に、開口部を形成することにより、開口部から手を差込むなどして支柱に対して着脱したり、出し入れすることができる。
【００３４】
その際に、上記支柱の周方向における、上記開口部と対向する側と反対側部分に支持棚を取り付けようとした場合、開口部から上記反対側部分の間は、距離を有し、また、支柱自体が邪魔になるため、支柱の上記反対側部分に対して支持部材を着脱することは困難であり、非常に手間を要する。
【００３５】
よって、上述したように、上記支持棚被取付け部を、上記支柱の周方向における、上記開口部と対向する側と反対側部分を除く部分に形成することにより、支持棚を支柱に対してスムーズ、且つ、容易に着脱することができる。
【００３６】
さらに、支持棚を支柱に対して着脱する際に、開口部を通じてペットが外側へ逃げないようにペットに注意を注ぐことができ、ペットをケース内空間に収容した状態のままでも支柱に対して支持棚を着脱等することができる。
【００３７】
さらにまた、支持棚を支柱に対して取り付ける際に、無理な体勢を取る必要もないため、支持棚を誤って落下してしまうなどして、ペットにストレスを与えることや展示ケースを破損することなく安全に支持棚を着脱することができる。
【００３８】
またこの発明の態様として、上記支柱の外周面に沿って押し当て可能な押当部を、上記支持棚の基端部に構成することができる。
【００３９】
上記構成により、支持棚を支柱に取り付けたとき、上記支持棚本体部の基端部に構成した上記押当部が、上記支柱の外周面に沿って押し当たることにより、支持棚は、支柱に対して点接触状ではなく、線接触状、或いは、面接触状に取り付けることができる。
【００４０】
よって、支持棚は、支柱に取り付いたとき、片持ち支持構造であり、ペットを載置したとき、モーメント荷重を受けるが、がたつくことなく安定してペットを支持置することができる。
【００４１】
またこの発明の態様として、上記ペット遊戯用タワーを、上記ケース内空間の平面視隅角部分に備えることができる。
【００４２】
上記構成により、支持棚を、上記ケース内空間の平面視隅角部分に備えた支柱に対して取り付けることができる。  
支持棚を、上記ケース内空間の平面視隅角部分に位置させることができるため、上記ペット遊戯用タワーを、ケース内空間の平面視中央部分に備えた場合と比較して、展示ケースの外側から、より近くでペットを視認することができる。
【００４３】
さらに、上記ペット遊戯用タワーを、ケース内空間の例えば、平面視中央部分に備えるに加えて、上述したように、平面視隅角部分に備えた場合、支持棚を、平面視中央部分、隅角部分のいずれの側の支柱に対しても取り付けが可能となる。
【００４４】
よって、支持棚を取り付ける選択枝が増えるため、よりバラエティーに富んだ遊戯装置付きペット展示用ケースを構築することができる。
【発明の効果】
【００４５】
本発明では、設置スペースをとらずに、ケース内空間に収容したペットにストレスが溜まることなく、ペットの個性が発揮されるよう展示することにより、客の購買意欲を高めることができるとともに、客がペットごとの個性を把握して自分にあったペットを正確に探し出すことができる遊戯装置付きペット展示用ケースを提供することができる。
【図面の簡単な説明】
【００４６】
【図１】第一実施形態の遊戯装置付きペット展示用ケースの外観図。
【図２】第一実施形態の遊戯装置付きペット展示用ケースの正面図。
【図３】第一実施形態の遊戯装置付きペット展示用ケースの背面図。
【図４】第一実施形態の遊戯装置付きペット展示用ケースの右側面図。
【図５】第一実施形態の遊戯装置付きペット展示用ケースの構成説明図。
【図６】図４中のＣ−Ｃ線断面図。
【図７】支柱に対する支持棚の取り付け構造の説明図。
【図８】遊戯装置付きペット展示用ケースの作用説明図。
【図９】遊戯装置付きペット展示用ケースの他の外観図。
【図１０】第二実施形態の遊戯装置付きペット展示用ケースの外観図。
【図１１】第二実施形態の遊戯装置付きペット展示用ケースの図５（ａ）に相当する断面図。
【図１２】第三実施形態の遊戯装置付きペット展示用ケースの説明図。
【図１３】第四実施形態の遊戯装置付きペット展示用ケースの説明図。
【図１４】第四実施形態の遊戯装置付きペット展示用ケースの説明図。
【図１５】比較例として示した遊戯装置付きペット展示用ケースの説明図。
【発明を実施するための形態】
【００４７】
この発明の一実施形態を、以下図面を用いて説明する。  
（第一実施形態）  
第一実施形態における遊戯装置付きペット展示用ケース１１は、図１〜図６に示すように構成している。  
なお、図１から図４は、それぞれ第一実施形態における遊戯装置付きペット展示用ケース１１の外観図、正面図、背面図、一部断面で示した右側面図を示している。図５（ａ），（ｂ）は、それぞれ図２中のＡ−Ａ線断面図、Ｂ−Ｂ線断面図を示し、図５（ｃ）は、図５（ｂ）中の領域Ｘの拡大図を示す。図６は、図４中のＣ−Ｃ線断面図を示している。
【００４８】
本実施形態における遊戯装置付きペット展示用ケース１１は、図１に示すように、全体を縦長の直方体形状で構成し、ペットを内部のケース内空間１２Ａに収容する展示ケース１２を備えている。ケース内空間１２Ａには、上記ペット遊戯装置として、ペットが昇降して遊戯可能なタワー型のペット遊戯用タワー３１を備えている。
【００４９】
遊戯装置付きペット展示用ケース１１の下側には、上記展示ケース１２を支持する基台５１を備えている。
【００５０】
上記展示ケース１２は、直方体の箱型形状であり、平面視略正方形で構成している。展示ケース１２は、外枠１５をアルミフレームで構成するとともに、底面を除く各ケース面１６、詳しくは、ケース正面部１６Ｆ、ケース背面部１６Ｂ、ケース右側面部１６Ｒ、ケース左側面部１６Ｌ、及び、ケース平面部１６Ｕの略全体を無色透明な強化ガラス板で構成している。
【００５１】
ケース背面部１６Ｂは、図３に示すように、上下方向の中間部分に板状のアルミプレート４２を横架し、該アルミプレート４２の上半分と下半分とのそれぞれにケース開口部１７（上側ケース開口部１７Ｕ、下側ケース開口部１７Ｄ）を形成している。
【００５２】
ケース開口部１７には、ケース背面部１６Ｂを正面視したとき、ケース開口部１７の右半分と左半分とをそれぞれ閉塞するよう合計４枚のガラス製のケース扉１８を備えている。
【００５３】
詳しくは、ケース扉１８は、上側ケース開口部１７Ｕの右半分と左半分とのそれぞれを閉塞する上側右半分ケース扉１８ＵＲと上側左半分ケース扉１８ＵＬとで構成するとともに、下側ケース開口部１７Ｄの右半分と左半分とを閉塞する下側右半分ケース扉１８ＤＲと下側左半分ケース扉１８ＤＬとで構成している。  
これらケース扉１８は、観音開きが可能にケース開口部１７の端部にヒンジ２３を介して枢着している。
【００５４】
ケース扉１８には、鍵付きのロック機構３０を備え、該ロック機構３０により、不測にケース扉１８が開かないよう構成している。
【００５５】
また、ケース背面部１６Ｂを正面視したとき、下側右半分ケース扉１８には、ケース内空間１２Ａのペットに水を供給する吸水器２４を着脱自在に備えている。
【００５６】
また、ケース平面部１６Ｕの下側には、奥行き方向の中間部に横架した補強フレーム２５を備えている。補強フレーム２５は、四角柱状の鋼材の表面にメッキを施して構成している。
【００５７】
ケース平面部１６Ｕを構成する強化ガラス板の中央部には、正面視円形をした通気孔２６を合計１４つ形成している。これら通気孔２６は、補強フレーム２５の幅方向に対して各側に７つずつ円弧状に等分配している。
【００５８】
ケース内空間１２Ａの底面部は、毛足の短い柔軟で肌触りのいい短毛生地シート２７を取り外し可能に敷設している。  
上記ペット遊戯用タワー３１は、ケース内空間１２Ａの中央部に、起立状態で配した支柱３２と、該支柱３２に対して着脱自在に取り付けられ、ペットを支持する複数枚の支持棚３３とで構成している。
【００５９】
上記支柱３２は、上記展示ケース１２の上面と床面との間に架設し、上記支柱３２の上端部を、上記補強フレーム２５に溶接し、支柱３２の下端部は、床面部４０に溶接している（図６参照）。
【００６０】
上記支柱３２は、図５（ａ），（ｂ），（ｃ）に示すように、断面視正方形状をした中空（筒）状の四角柱であり、該四角柱の鋼材表面にメッキを施して構成している。
【００６１】
上記支柱３２は、平面視すると、該支柱３２の４つの各支柱側面３２Ａ，３２Ｂ，３２Ｃ，３２Ｄが、上記展示ケース１２のケース正面部１６Ｆ、ケース左側面部１６Ｌ、ケース背面部１６Ｂ、ケース右側面部１６Ｒと対向する状態から４５度回動させた形態、換言すると、該支柱３２の４つの各支柱側面３２Ａ，３２Ｂ，３２Ｃ，３２Ｄのそれぞれが、平面視正方形をした上記展示ケース１２の４つの隅角部１５Ａ，１５Ｂ，１５Ｃ，１５Ｄのそれぞれと対向する形態で、上記展示ケース１２の上面と床面との間に架設している。
【００６２】
支柱３２の各側面には、該側面の幅方向の中間部分に、支柱３２に対して支持棚３３を取り付ける支持棚被取付け部３９を構成している。  
支持棚被取付け部３９は、上記支柱３２の長手方向に沿って一列に形成した複数の被係合孔２８であり、被係合孔２８は、支持棚３３の係合を許容するよう上下方向へ長い長孔状に形成している（図１、図２参照）。  
支柱３２の支柱側面に形成した上記被係合孔２８は、支柱３２の他の支柱側面に形成したものと同一ピッチで形成するとともに、同一高さで形成している。
【００６３】
一方、支持棚３３は、複数枚（例えば、少なくとも７枚）備え、それぞれ支持棚本体部３４と、該支持棚本体部３４を上記支柱３２により取り付ける上記支持棚取付け部３５とで構成している。
【００６４】
支持棚本体部３４は、図５（ａ）に示すように、平面視すると、支柱３２の外周を４等分配する略９０度の扇形形状で合成樹脂により形成している。図７（ｂ）に示すように、支持棚本体部３４の上面には、毛足の短い柔軟で肌触りのいい短毛生地シート３４Ａを粘着剤で取り外し可能に添着している。
【００６５】
支持棚本体部３４の基端部は、図７（ａ），（ｂ）に示すように、支柱３２の側面に押し当て可能な水平押当部３４ａを構成している。  
なお、図７（ａ），（ｂ）は、支柱３２に対する支持棚３３の取り付け構造を示し、詳しくは、図７（ａ）は、支持棚本体部３４を仮想線で示した支持棚３３を、支柱３２に対して取り付ける直前の様子を示す斜視図であり、図７（ｂ）は、支持棚３３を、支柱３２に対して取り付けた様子を示す断面図である。
【００６６】
上記支持棚取付け部３５は、１枚の棚受けブラケット３７と、該棚受けブラケット３７の両側に有する２枚の棚受け補強ブラケット３８とで構成し、支持棚本体部の下面であって、扇形の周方向の略中間部分に、支持本体部対して垂直に取り付けている。
【００６７】
上記棚受けブラケット３７の下端部は、水平な上端部に対して、長手方向の先端側よりも基端側の上下方向長さが長くなる曲線形状で形成している。上記棚受けブラケット３７の基端部は、水平な上端部に対して直角に垂下した端面形状で支柱３２の側面に押し当て可能な垂直押当部３５ａを形成するとともに、支柱３２に穿孔した複数の上記被係合孔２８のピッチ分の長さを少なくとも有して形成している。
【００６８】
上記棚受けブラケット３７の基端部には、２つの係合突片２９を形成し、それぞれ上記被係合孔２８のピッチ分だけ間隔を隔てて上下各側に形成している。係合突片２９は、基端部後方に向けて突出した後、被係合孔２８に係合可能に先端部分を下方へ垂下した形状で形成している。
【００６９】
棚受け補強ブラケット３８は、上記棚受けブラケット３７の両側に備え、該棚受けブラケット３７の一方の面に接触する棚受けブラケット取付け片３８ａと、支持棚本体部３４の下面に接触し、支持棚本体部３４を下側から支持する支持本体取付け片３８ｂとで断面視Ｌ字形状で形成している。
【００７０】
また、上記基台５１は、図１、図６に示すように、内部に物品収容空間５１Ａを有した直方体の箱型形状で構成し、該基台５１の前面部には、基台開口部５３Ａを形成し、基台開口部５３Ａの縁部には、基台開口部５３Ａを開閉自在とする基台扉５３を枢着している。
【００７１】
物品収容空間５１Ａには、例えば、支柱３２に取り付けないで余ったストック用の支持棚３３や、支持棚本体部３４の上面に添着した短毛生地シート３４Ａや床面に敷設した短毛生地シート２７と交換可能な短毛生地シート３４Ａ，２７、さらには、その他のペット用品等を収容しておくことができる。
【００７２】
基台５１の下部には、４つのブレーキ付きキャスタ５４を備え、遊戯装置付きペット展示用ケース１１自体を可動自在に構成している。
【００７３】
上述した遊戯装置付きペット展示用ケース１１は、以下のような様々な作用、効果を奏することができる。  
上記構成によれば、展示ケース１２にペットとして例えば、猫を収容した場合、ケース内空間１２Ａの猫は、ペット遊戯用タワー３１に備えた支持棚３３を昇り降りすることで、活発に遊戯することができる。また、支柱３２に取り付けた支持棚３３に載り、猫にとって本能的にリラックスすることができる床面よりも高い位置で休憩することができる。
【００７４】
このように遊戯装置付きペット展示用ケース１１は、猫を展示ケース１２に収容された状態に留めるが、猫が運動不足にならず、ストレスが溜まることのない健康で快適なケース内空間１２Ａを構築できる。
【００７５】
さらにまた、遊戯装置付きペット展示用ケース１１は、ペットを購入の際に、ペット遊戯用タワー３１で活発に遊戯し、リラックスしたペットの様子を視認することを通じて、客の購買意欲を刺激することができる。また、客は、ペットを選ぶ上で重要なポイントとなるペットの性格も正確に把握することができるようになる。
【００７６】
遊戯装置付きペット展示用ケース１１は、平面的に広い設置スペースを要さずにコンパクトに設置することができつつ、ペット遊戯用タワー３１によりペットに昇降動作をさせることが可能となるため、ペットが運動不足に陥ることを回避することができる。
【００７７】
なお、ペットが運動するなどして発生した熱により、ケース内空間１２Ａの温度が上昇しようとしても、熱は、ケース平面部１６Ｕに形成した通気孔２６（図５（ｂ）参照）を通じて外部へ放出できるため、ケース内空間１２Ａに熱が篭ることがない。
【００７８】
遊戯装置付きペット展示用ケース１１は、据付けタイプではなく、それ自体単独でキャスタ５４により、地面に設置可能な構成であるため、据付のための大掛かりな工事を要することなく設置することができる。さらに、キャスタ５４により、スムーズに移動することができる。  
よって、一時的なペット展示ブースの構築にも用いるに好適であり、また、レイアウト変更なども容易に行うことができる。
【００７９】
また、遊戯装置付きペット展示用ケース１１は、無色透明の強化ガラス板でケース面１６を形成した展示ケース１２を通じて、上記展示ケース１２の周方向のいずれの方向からでもケース内空間１２Ａを視認することができる。このため、遊戯装置付きペット展示用ケース１１は、壁際に設置するに限らず、フロアーの中央部分に設置する展示形態も可能となる。
【００８０】
このような展示形態で設置した場合、ペットの様子を周方向（ケース前面部、ケース右側面部１６Ｒ、ケース左側面部１６Ｌ、ケース背面部１６Ｂ）のいずれの方向からでも伺うことができ、優れた展示効果を得ることができる。
【００８１】
さらに、ケース平面部１６Ｕも透明であるため、例えば、設置空間の天井に備えた照明の光をケース平面部１６Ｕを通じて積極的にケース内空間１２Ａに取り入れることができるができる。
【００８２】
よって、ケース内空間１２Ａに照明を設置する必要がなく、ケース内空間１２Ａのペットが視認し易く、明るい状態に保つことができる。さらに、ケース内空間１２Ａの外観を損なうことがなく、また、ペットを近い距離から照明で照らす必要がないため、ペットにストレスを与えることもない。
【００８３】
また、上記支柱３２は、上記展示ケース１２の上面に有する補強フレーム２５と床面部４０との間に架設している。
【００８４】
上記構成により、上記支柱３２を上記展示ケース１２の上面と床面との間でしっかりと固定することができる。よって、ペットが昇降動作したり、支持棚３３の上に載った場合でも、がたつかず、ペットにとって安全であり、快適性も確保することができる。
【００８５】
さらに、運搬の際に遊戯装置付きペット展示用ケース１１自体を傾けるなどしても支柱３２が撓んだりすることがないため、ケース内空間１２Ａにペットを収容した状態のままでも、移動させることができる。
【００８６】
続いて、上記ペット遊戯用タワー３１は、上述したように支柱３２に対して支持棚３３が着脱自在であるが、支持棚３３を支柱３２に対して取り付ける手順、方法について説明する。  
まず、支柱３２に有する４つの側面のうち、いずれの側面に、支持棚３３を取り付けるかに応じて支持棚３３の支柱３２の周方向に対する取り付け位置を決定することができる（図５（ａ）参照）。
【００８７】
また、支柱３２の長さ方向のうち、いずれの位置に、支持棚３３を取り付けるかに応じて支持棚３３の支柱３２に対する取り付け高さを決定することができる。  
詳しくは、図７（ａ）に示すように、支持棚取付け部３５に有する２つの係合突片２９のそれぞれを、支柱３２に形成した複数の被係合孔２８のうち、上下方向で隣り合ういずれか２つの被係合孔２８のそれぞれに差込んで、係合突片２９と被係合孔２８とを係合させるだけで、支持棚３３をしっかりと支柱３２に取り付けることができる。
【００８８】
このように、上下２つの係合突片２９の双方をそれぞれ被係合孔２８に係合させることにより、支持棚３３のがたつきを防止するとともに、不測に支持棚３３が支柱３２に対して外れることがないよう取り付けることができる。
【００８９】
さらに、係合突片２９と被係合孔２８とを係合した状態において、図７（ｂ）に示すように、支持棚本体部３４の水平押当部３４ａが支柱３２の外周に押し当たることで、特に、支柱３２の軸回り方向において支持棚３３が、がたつくことを阻止することができる。
【００９０】
また、上記棚受けブラケット３７の垂直押当部３５ａが支柱３２に押し当たることで、特に、支持本体部３４に加わった荷重をしっかりと受け止めることができ、支持棚３３の耐荷重を格段に向上させることができるとともに、支持棚３３に対してペットが載り降りしてもがたつくことを阻止することができる（図７（ｂ）参照）。
【００９１】
さらにまた、支持本体取付け片３８ｂにより（図７（ａ）参照）、支持本体部３４を下側から面状に支持することができるため、支持本体部３４の平面視幅方向の両側に加わる荷重に対してがたつくことがなく、しっかりと支持することができる。
【００９２】
支持棚３３を支柱３２から意図的に取り外す際には、支持棚３３を少し持ち上げて手前側に引けば、係合突片２９と被係合孔２８との係合を容易に解除することができる（図示せず）。
【００９３】
ところで、支柱３２に対する支持棚３３の取り付けは、上記展示ケース１２のケース背面部１６Ｂに有するケース扉１８を開け、ケース開口部１７を通じてケース内空間１２Ａに手を差し込み、支柱３２に対して支持棚３３を着脱する。
【００９４】
ここで、遊戯装置付きペット展示用ケース１１の比較例として、図１５に示すように、支柱３２を、その４つの支柱側面３２Ａ，３２Ｂ，３２Ｃ，３２Ｄのそれぞれが、上記展示ケース１２のケース前面部１６Ｆ、ケース左側面部１６Ｌ、ケース背面部１６Ｂ、ケース右側面部１６Ｒと対向するよう、天井と床面との間に架設した構成の遊戯装置付きペット展示用ケース１００を想定する。
【００９５】
なお、図１５は、支柱３２を、該支柱３２の各支柱側面が、展示ケース１２の各ケース側面部と対向するよう、天井と床面との間に架設した構成について示した断面図である。
【００９６】
この場合、例えば、支柱３２の４つの支柱側面のうち、ケース前面部１６Ｆと対向する支柱側面３２Ａに形成した被係合孔２８（前面側被係合孔２８Ｆ）に支持棚３３を取り付けようとすれば、まず、支持棚３３を把持した状態で、該支持棚３３を、ケース背面部１６Ｂのケース開口部１７を通じてケース内空間１２Ａに差し込む。さらに、支持棚３３の係合突片２９と、前面側被係合孔２８とを係合させる必要があるが、このような支持棚３３の取り付け作業は、非常に労力を要し、困難である。
【００９７】
詳しくは、このような前面側被係合孔２８への支持棚３３の取り付け作業は、ケース背面部１６Ｂに有するケース開口部１７から遠く、また、取り付け位置と手を差込むケース開口部１７との間に支柱３２が存在することになる。
【００９８】
よって、支持棚３３を、遊戯装置付きペット展示用ケース１１の背面側からケース開口部１７を通じてケース内空間１２Ａへ挿入し、支柱３２を回避するよう回りこませながら支柱３２とケース前面部との間に移動させる必要がある（図１５（ａ）中の仮想線で示した人Ｈ参照）。
【００９９】
さらに、その後、人Ｈの立ち位置に対して支柱３２の反対側に位置する前面側被係合孔２８Ｆに支持棚３３を取り付ける必要があり、労力、取り付け時間を要する。さらに、取り付けに手間取っている間にペットがケース開口部１７を通じて外へ逃げ出すおそれもある。
【０１００】
このため、このような事態を回避するために、いちいちペットを出して別の場所に格納しておくなどの手間を要する。その他にも、支持棚３３の取り付けが手間取ることにより、該支持棚３３がケース面１６やペットに接触するおそれがあり、危険である。
【０１０１】
これに対して、図８に示すように、第一実施形態の遊戯装置付きペット展示用ケース１１では、上記支柱３２を、上述したように、４つの各支柱側面３２Ａ，３２Ｂ，３２Ｃ，３２Ｄのそれぞれが、平面視正方形をした上記展示ケース１２の４つの隅角部１５Ａ，１５Ｂ，１５Ｃ，１５Ｄのそれぞれと対向する形態で、上記展示ケース１２の上面と床面との間に架設している（図５（ａ），（ｂ），（ｃ）参照）。
【０１０２】
上記構成により、支柱３２の４つの支柱側面のうち、いずれの支柱側面に対して支持棚３３を取り付ける場合においても支柱３２に対して容易に取り付けることができる。
【０１０３】
例えば、図８に示すように、ケース前面部１６Ｆの幅方向の一方の側に有する隅角部１５Ｄと対向する支柱側面３２Ｄに支持棚３３を取り付ける場合でも、人Ｈは、支持棚３３を、遊戯装置付きペット展示用ケース１１の背面側からケース開口部１７を通じてケース内空間１２Ａへ挿入し、ケース開口部１７から少し手を伸ばすだけで支柱３２を回避することができ、支柱側面３２Ｄに有する支持棚被取付け部３９に支持棚３３を取り付けることができる（図８中の仮想線で示した人Ｈ参照）。
【０１０４】
支持棚３３の係合突片２９と、支持棚３３の被係合孔２８との係合も、支持棚３３を支柱３２を挟んで人の立ち位置と反対側に取り回したり、腕を必要以上に伸ばす必要がないため、楽な姿勢でスムーズ、且つ、労力を要さずに取り付けができる。
【０１０５】
以上により、遊戯装置付きペット展示用ケース１１は、ペットの成長、種類などに応じて支持棚３３の取り付け位置、取り付け枚数を任意に変更することができ、ペットが飽きることがなく、快適に使用することができる。
【０１０６】
遊戯装置付きペット展示用ケース１１は、例えば、図１に示すように、支柱３２の周方向において段階的に高低差が生じるように螺旋状に支持棚３３を取り付けることができる。
【０１０７】
図１のような支持棚３３の取り付け形態の場合、支持棚３３間の無理な移動を強要することなく螺旋階段を昇り降りするようにスムーズに昇降動作が可能であるため、ペットに対して怪我等のおそれがなく安全で豊富な運動を可能とすることができる。
【０１０８】
さらに、最も上側に取り付けた支持棚３３は、２つを並べることで、広い載上面を構成することができる（図１参照）。このように、本能的にリラックスできる高い位置に広い載上面を構成することで、ペットは、広い載上面に載り、快適に寛ぐことができる。
【０１０９】
さらに、ペット遊戯用タワー３１は、図１に示した支持棚３３の取り付け形態に限らず、様々な取り付け形態で取り付けることができる。
【０１１０】
例えば、図９に示すように、３枚の支持棚３３を一組として同一高さで取り付け、広い載上面を支柱３２の上下方向に複数構成してもよい。支柱３２の上下方向の各部位に３枚の支持棚３３を取り付けることにより、周方向においてペットが昇降するための、支持棚３３が存在しない箇所を確保できる。
【０１１１】
さらに、図９に示すように、周方向において支持棚３３を取り付けていない箇所を、支柱３２の取り付け高さが高くなるに連れ、それぞれ１つづつズラした取り付け形態とすることで、ペットは、テンポよく昇降動作をすることができる。
【０１１２】
以下では、他の実施形態における遊戯装置付きペット展示用ケース１１Ａ，１１Ｂ，１１Ｃ，１１Ｄについて説明する。  
但し、以下で説明する遊戯装置付きペット展示用ケース１１Ａ，１１Ｂ，１１Ｃ，１１Ｄの構成のうち、上述した第一実施形態における遊戯装置付きペット展示用ケース１１と同様の構成については、同一の符号を付して、その説明を省略する。
【０１１３】
（第二実施形態）  
第二実施形態における遊戯装置付きペット展示用ケース１１Ａは、図１０、図１１に示すように、ケース内空間１２Ａに、第一実施形態で説明したペット遊戯用タワー３１（３１Ａ）に加え、ケース内空間１２Ａの隅角部にもペット遊戯用タワー３１（３１Ｂ）を備えている。  
なお、以下の説明において、第一実施形態で説明したペット遊戯用タワー３１は、ケース内空間１２Ａの中央部に設置しているため、中央側ペット遊戯用タワー３１Ａに設定し、中央側ペット遊戯用タワー３１Ａの支柱３２を中央側支柱３２Ａに設定する。また、図１０は、第二実施形態のペット展示用ケース１１Ａの外観図である。図１１（ａ）は、図５（ａ）に相当する第二実施形態における遊戯装置付きペット展示用ケース１１Ａの断面図であり、図１１（ｂ）は、図１１（ａ）の領域Ｚの拡大図である。
【０１１４】
詳しくは、遊戯装置付きペット展示用ケース１１Ａは、平面視正方形状をしたケース内空間１２Ａの４つの隅角部に、コーナー側ペット遊戯用タワー３１Ｂを備えている。コーナー側ペット遊戯用タワー３１Ｂは、中央側ペット遊戯用タワー３１Ａに備えた支持棚３３と同様の構成の支持棚３３と、該支持棚３３を着脱自在なコーナー側支柱３２Ｂとで構成している。
【０１１５】
コーナー側支柱３２Ｂは、展示ケース１２の外周に配した外枠１５の一部を構成する柱として構成し、ケース内空間１２Ａの４つの隅角部のそれぞれに相当する部位に起立状態に構成している。コーナー側支柱３２Ｂは、断面視略三角形状で形成し、断面視三角形状のコーナー側支柱３２Ｂが有する３つの側面部のうち、ケース内空間１２Ａの側と対向する内側支柱側面３２Ｂｉには、支持棚３３を取り付け可能な支持棚被取付け部３９Ｂを形成している。
【０１１６】
支持棚被取付け部３９は、第一実施形態の支持棚被取付け部３９と同様に、上記支柱３２の長手方向に一列に配設した複数の上記被係合孔２８で構成し、被係合孔２８は、上下方向において対応するそれぞれの形成高さ、ピッチが中央側支柱３２Ａの支持棚被取付け部３９と一致するよう構成している。
【０１１７】
上記遊戯装置付きペット展示用ケース１１は、上記構成により、以下の作用、効果を奏することができる。  
支持棚３３は、上記中央側ペット遊戯用タワー３１Ａの中央側支柱３２Ａに加えて、コーナー側ペット遊戯用タワー３１Ｂのコーナー側支柱３２Ｂに対しても着脱することができる。
【０１１８】
これにより、支持棚３３を取り付ける選択枝が増え、例えば、ペットは、中央側支柱３２Ａに取り付けた支持棚３３と、コーナー側支柱３２Ｂに取り付けた支持棚３３との間でも移動が可能となり、よりバラエティーに富んだ、ペットに飽きのこない遊戯装置付きペット展示用ケースを構築することができる。
【０１１９】
さらに、支持棚３３を、コーナー側支柱３２Ｂに取り付ければ、上記ケース内空間１２Ａの平面視隅角部分にペットを位置させることができるため、展示ケース１２の外側からでも、真近でペットを視認することができる。
【０１２０】
なお、第二実施形態における遊戯装置付きペット展示用ケース１１Ａは、中央側ペット遊戯用タワー３１Ａとコーナー側ペット遊戯用タワー３１Ｂとの双方を備えた構成に限らず、中央側ペット遊戯用タワー３１Ａを備えずに、コーナー側ペット遊戯用タワー３１Ｂのみを備えた構成であってもよい。
【０１２１】
（第三実施形態）  
第三実施形態における遊戯装置付きペット展示用ケース１１Ｂは、図１２（ａ）に示すように、支柱を、円筒状をした円筒状支柱３２Ｂで構成している。
【０１２２】
上記円筒状支柱３２Ｂは、その外周面を４等分配する各部分に、上記支持棚被取付け部３９として、上下方向に複数の上記被係合部２８を配設している。
【０１２３】
一方、支持棚３３の水平押当部３４ａは、上記円筒状支柱３２Ｂの外周面と同じ曲率を有する弧状に形成している。
【０１２４】
これにより、支持棚３３に有する係合突片２９を、円筒状支柱３２Ｂに形成した所定の被係合孔２８に係合させると、円筒状支柱３２Ｂの外周面に支持棚３３の水平押当部３４ａ、及び、垂直押当部３５ａがぴたりと押し当たり、支持棚３３を円筒状支柱３２Ｂに対して安定した状態に取り付けることができる。
【０１２５】
また、上記円筒状支柱３２Ｂによれば、外周面に角部が存在しないため、その外周面のいずれの部分においても支持棚被取付け部３９を形成することができ、該支持棚被取付け部３９を形成した部分に応じて周方向のいずれの部分においても支持棚３３を取り付けることができる。
【０１２６】
なお、上記支持棚被取付け部３９は、上記円筒状支柱３２Ｂの外周面を４等分配する各部分に形成するに限らず、４等分配以外の数で形成してもよい。
【０１２７】
さらにまた、支柱は、上述したように中空状の四角柱状の支柱３２や、円筒状支柱３２Ｂに限らず、例えば、断面視長方形状、三角形、５角形などの断面視多角形で構成してもよく、さらに、断面視楕円形状など様々な断面形状で構成することができる。
【０１２８】
（第四実施形態）  
第四実施形態における遊戯装置付きペット展示用ケース１１Ｃは、図１２（ｂ）に示すように、支柱３２Ｃの各支柱側面に、上記支持棚被取付け部３９として、複数の被係合孔２８を所定の幅を隔てて長手方向に沿って２列になるよう配設している。
【０１２９】
一方、支持棚３３には、上記支持棚取付け部３５として、２枚の棚受けブラケット３７と２枚の棚受け補強ブラケット３８とを備えている。これら２枚の棚受けブラケット３７は、支柱３２Ｃの側面において２列に配設した複数の被係合孔２８の幅と同じ幅で配置している。
【０１３０】
２枚の補強ブラケット３８は、互いに幅方向において対向する２枚の棚受けブラケット３７の外側側面にそれぞれ固着している。  
上記構成により、支柱３２Ｃに対して支持棚３３を取り付ける際には、支持棚３３に有する４つの係合突片２９を、支柱３２Ｃに形成した複数の被係合孔２８のうち、上下方向、及び、幅方向において隣合う合計４つの被係合孔２８に係合することができる。
【０１３１】
このように、４つの係合突片２９と被係合孔２８とを係合できるため、支持棚３３を支柱３２Ｃに対してより強固に取り付けることができる。
【０１３２】
なお、遊戯装置付きペット展示用ケースは、上述したように、上下方向に複数の被係合孔２８を一列、又は、２列に配設した構成に限らず、その他にも３列以上で構成することができる。また、支持棚３３に有する係合突片２９は、図示しないが、被係合孔２８に係合可能に、３つ、或いは、５つ以上の数を備えて構成してもよい。
【０１３３】
（第五実施形態）  
遊戯装置付きペット展示用ケース１１Ｄは、図１３、及び、図１４（ａ），（ｂ），（ｃ）に示すように、上述した棚型の支持棚３３とは異なり、ハンモック型の支持棚３３（ハンモック型支持棚３３Ｈ）を備えている。  
なお、図１３は、ハンモック型支持棚３３Ｈを、支柱３２に対して取り付ける直前の様子を示す斜視図であり、図１４（ａ），（ｂ），（ｃ）は、それぞれ図１３中のＡ−Ａ線端面図、支柱３２を省略して示した図１３中のＢ−Ｂ線矢視図、図１３中のＣ−Ｃ線断面図である。
【０１３４】
ハンモック型支持棚３３Ｈは、支持骨材７１と支持クッションカバー８１とで構成している。支持骨材７１は、一本の円柱状の中空パイプを曲げ加工して構成した支持フレーム７２と、支柱３２へ取り付ける支柱取付け板７５とで構成している。
【０１３５】
支持フレーム７２は、支柱本体フレーム部７３と基端フレーム部７４とで構成し、支柱本体フレーム部７３は、棚型（板状）の支持棚３３の平面視形状と略同じ平面視扇型の外周形状で形成している。
【０１３６】
基端フレーム部７４は、支柱本体フレーム部７３の基端側において支柱本体フレーム部７３に対して略Ｕの字形状に垂下した形成している。
【０１３７】
上記支柱取付け板７５は、基端フレーム部７４に溶着した面と反対側の面から突出した係合突片２９を上下各側に備えている。
【０１３８】
支柱取付け板７５における、係合突片２９と被係合孔２８とを係合したとき、支柱側面に押し当たる面を、押当部として形成している。
【０１３９】
一方、上記支持クッションカバー８１は、毛足の短い柔軟なパイル生地で表面全体を形成し、支柱本体フレーム部７３を被覆可能に、該支柱本体フレーム部７３の平面視形状である扇型形状になるよう一方に対して他方が幅広な筒状に形成している。
【０１４０】
筒状の軸方向の一方の側には、支柱本体フレーム部７３の外周側部分（弧部分）を挿通可能な大きさの開口部８１Ａ（大開口部８１Ａ）を有して形成している。
【０１４１】
さらに、大開口部８１Ａの開口縁部には、図１４に示すように、スライドファスナ８２を形成し、大開口部８１Ａは、スライダ８２ｃのスライド操作によりスライドファスナ８２を構成するファスナ係合片８２ａとファスナ被係合片８２ｂとを係脱することで開閉することができる。
【０１４２】
支持骨材７１に対する支持クッションカバー８１の取り付けは、支持骨材７１を基端フレーム部７４側から支持クッションカバー８１の大開口部８１Ａに挿入し、徐々に支持クッションカバー８１で支柱本体フレーム部７３を覆うようにクッションカバーを支柱本体フレーム部７３側にスライドさせる。
【０１４３】
支柱本体フレーム部７３の略全体を支持クッションカバー８１で覆ったとき、スライドファスナ８２のファスナ係合片８２ａとファスナ被係合片８２ｂとを係合する。これにより、大開口部８１Ａが閉塞するため、支持骨材７１から支持クッションカバー８１が不測に外れることなく、しっかりと、且つ、容易に装着することができる。
【０１４４】
支持クッションカバー８１の上にペットが載っても、しっかりと支持することができ、ペットにとって快適な載上面を構成することができる。
【０１４５】
上述した実施形態と、この発明の構成との対応において、
基台５１の底面部は、設置部に対応し、
ケース面１６は、上記展示ケースの側面に対応し、
強化ガラス板は、透明パネルに対応し、
ペット遊戯用タワー３１（中央側ペット遊戯用タワー３１Ａ、及び、コーナー側ペット遊戯用タワー３１Ｂ）は、ペット遊戯用タワーに対応し、
キャスタ５４は、移動手段に対応し、
被係合部２８は、被係合部に対応し、
係合突片２９は、係合部に対応し、
ケース開口部１７は、開口部に対応し、
ケース扉１８は、扉に対応し、
ケース正面部１６Ｆは、上記支柱の周方向における、上記開口部と対向する側と反対側部分に対応し、
水平押当部３４ａ、及び、垂直押当部３５ａは、上記支柱の外周面に沿って押し当て可能な押当部に対応するも、
この発明は、上述の実施形態の構成のみに限定されるものではなく、多くの実施の形態を得ることができる。
【０１４６】
例えば、基台５１の底面部には、キャスタ５４を備えずに、基台５１の底面部が、直接、又は、ゴムシートなどを介して間接的に床面に設置する構成であってもよい。
【０１４７】
また、図示しないが、天井と床面との間に架設された支柱３２，３２Ａ，３２Ｃは、天井と床面との間で軸回りに回動自在に構成してもよい。
【０１４８】
上記構成による支柱３２，３２Ａ，３２Ｃに対する支持棚３３，３３Ｈの取り付けは、まず、支柱３２，３２Ａ，３２Ｃを、該支柱３２，３２Ａ，３２Ｃの周方向における支持棚３３，３３Ｈを取り付けようとする支持棚被取付け部３９がケース背面部１６Ｂと対向するまで、回動させる。
【０１４９】
そして、ケース背面部１６Ｂに有するケース開口部１７を通じてケース背面部１６Ｂの真正面に位置する支持棚被取付け部３９に対して支持棚３３，３３Ｈを取り付けることができる。
【０１５０】
そして、支柱３２，３２Ａ，３２Ｃを再度、回動させ、元の位置に戻せば、支持棚３３，３３Ｈの支柱３２，３２Ａ，３２Ｃに対する取り付けが完了する。
【０１５１】
上記構成によれば、ケース内空間Ａに手を差込んで、支柱３２，３２Ａ，３２Ｃを回避するよう支持棚３３，３３Ｈを取り回すなどの動作を要さずに、支柱３２，３２Ａ，３２Ｃに対して支持棚３３，３３Ｈを容易に取り付けることができる。
【０１５２】
なお、支柱３２，３２Ａ，３２Ｃは、手動により、或いは、モータなどの駆動源により回動するいずれの構成であってもよい。さらにまた、所定角度回動後に支柱３２，３２Ａ，３２Ｃを周方向に位置決めする位置決めボルトなどの位置決め手段を備えてもよい。
【符号の説明】
【０１５３】
１１，１１Ａ，１１Ｂ，１１Ｃ，１１Ｄ…遊戯装置付きペット展示用ケース
１２…展示ケース
１２Ａ…ケース内空間
１６…上記展示ケースの側面
１７…ケース開口部
１８…ケース扉
２８…被係合孔
２９…係合突片
３１…ペット遊戯用タワー
３１Ｂ…コーナー側ペット遊戯用タワー
３２，３２Ａ，３２Ｃ…支柱
３２Ｂ…コーナー側支柱
３３…支持棚
３３Ｈ…ハンモック型支持棚
３４…支持棚本体部
３４ａ…水平押当部
３５…支持棚取付け部
３５ａ…垂直押当部
５１…基台
５４…キャスタ
【図１】
2011024742.tif 000003
【図２】
2011024742.tif 000004
【図３】
2011024742.tif 000005
【図４】
2011024742.tif 000006
【図５】
2011024742.tif 000007
【図６】
2011024742.tif 000008
【図７】
2011024742.tif 000009
【図８】
2011024742.tif 000010
【図９】
2011024742.tif 000011
【図１０】
2011024742.tif 000012
【図１１】
2011024742.tif 000013
【図１２】
2011024742.tif 000014
【図１３】
2011024742.tif 000015
【図１４】
2011024742.tif 000016
【図１５】
2011024742.tif 000017